【事件の表示】
　平成　２年特許願第１７２６３０号「画像読取装置」拒絶査定に対する審判事件［平成　４年　２月２８日出願公開、特開平　４−　６３０６０］について、次のとおり審決する。
【結　論】
　本件審判の請求は、成り立たない。
【理　由】
１．手続の経緯・本願発明
　本願は、平成２年７月２日の出願であって、その請求項１に係る発明（以下「本願発明」という。）は、明細書及び図面の記載からみて、その特許請求の範囲の請求項１に記載されたとおりの次の事項により特定されるものである。
「画像を読取る画像読取駆動部と、その画像読取駆動部によって読取られた画像信号をアナログ処理するアナログ処理部と、そのアナログ処理部からの出力信号をデジタル処理するデジタル処理部と、前記画像読取駆動部、アナログ処理部ならびにデジタル処理部を駆動するためのクロック信号を出力するクロック信号発生部とを備えた画像読取装置において、
　前記クロック信号発生部から出力される画素単位のクロック信号とライン単位のクロック信号のうち、画素単位のクロック信号は原稿読取り時のみ駆動させるように構成されていることを特徴とする画像読取装置。」
　
２．引用刊行物
　これに対し、原査定の拒絶の理由で引用された特開昭６３−１９６１５８号公報（昭和６３年８月１５日公開）（以下「引用例」という。）には、図面とともに次の事項を内容とする「画像読取装置」（発明の名称）が記載されている。
（１）「従来、画像読取装置は、ＣＣＤで画像を読み取り画像処理を行い、プリンター等に出力する構成であるが、実際に画像を読み取ってプリンターに出力する時以外もＣＣＤは駆動されており、プリンターに画像データを送るか否かの制御が行われていた。しかし、常にＣＣＤが駆動されていると常に多くの電気が消費され電力のムダになり、熱の上昇も招くという欠点があった。」（１頁左下欄１６行〜同右下欄３行）
（２）「本発明は以上の点に鑑みてなされたもので、不用な電力の消費を押さえ、機械の昇温を防止するとともに、読み取り動作の迅速な再開を可能とすることを目的とする。」（１頁右下欄１０行〜同１３行）
（３）「ＣＣＤ１０３により画像をライン単位で読取る事により得られた画像信号は、サンプルホールド２０１によりノイズ成分が除去され、信号成分のみが取り出される。更に、ＤＣクランプ回路２０２により黒レベルの再生を行う。ＣＣＤ１０３の出力は、黒レベルに対しての相対的な出力として取り出される為、１ライン毎に黒レベル信号を検出し、黒レベルを常に一定（例えば０Ｖ）に保つことにより、ＣＣＤ１０３の出力を絶対的なレベルに補正する回路である。２６６はＣＣＤ１０３から黒レベル信号が出ている期間を示す信号である。レベル補正された画像信号は、次に増巾器２０３により、Ａ／Ｄ変換されるのに適した信号迄増巾される。本例によるとＡ／Ｄコンバータ２０４として、ＥＦ８３０８（トムソン製）を使用しており、０〜２Ｖのアナログ入力を０〜ＦＦＨ　のディジタル信号に変換する。（中略）Ａ／Ｄコンバータ２０４によって各画素毎にＡ／Ｄ変換された画素データは、真白“００Ｈ ”真黒“ＦＦＨ ”として画像信号ライン２５５に出力される。」（２頁左上欄１６行〜同右上欄１８行）
（４）「オフセット補正回路２０５に入力した画像データは暗電圧補正され、更にシェーディング補正回路２０６に送られ、感度補正される。感度補正された画像データは、γ補正回路２０７へ送られる。γ補正回路２０７は、濃度変換データが格納されているＲＡＭであり、ユーザの濃度指定又は記録部の濃度特性によりＣＰＵ２１２が所望の変換カーブを書き込める様になっている。バッファメモリ２０８は、画像記録部（プリンタ）２０９に画像データを出力する時画像データの出力スピードを記録部に合わせる為にあり、２ライン分の画像データの記憶容量を持っている。」（２頁右上欄１９行〜同左下欄１０行）
（５）「駆動信号発生回路２１１は、ＣＣＤ１０３を駆動する為に必要なクロックを発生し、更に、一ライン分の画像の各画素位置に対応したアドレスを発生する。」（２頁左下欄１１行〜同１４行）
（６）「駆動信号発生回路部２１１は、コントロール信号２７０を通じてＣＰＵ回路部２１２より駆動信号の発生、非発生制御が行われる。したがって、ＣＰＵ回路部２１２が駆動信号発生回路２１１に対して、駆動信号発生許可している時のみ駆動信号が生成される。（中略）駆動信号が停止している時、ＣＣＤ１０３を始め、周辺回路は動作を停止し、スタティックな状態となる。したがって、消費電力は大幅に低下する。」（２頁右下欄１４行〜３頁左上欄６行）
（７）「第３図は、画像読取部のＣＰＵ回路部２１２の動作フローチャート図を示す。（中略）次に画像記録部の電源がＯＮされているかどうか判断し（ステップ３０２）、電源がＯＮの場合操作部２１３の表示をＯＮにする（ステップ３０３）。次に操作者より画像入力開始が指示されると（ステップ３０４）、駆動信号発生回路２１１に対して駆動信号の発生を許可し（ステップ３０５）画像入力処理（ステップ３０６）を行う。そして、画像入力処理の終了後、駆動信号の発生を禁止する（ステップ３０７）。（中略）この様に、画像読取を行っていない時は、画像形成の為の駆動クロックを停止させ、不用な電気の消費を少なくし、機械の昇温を少なくする。」（３頁左上欄９行〜同右上欄１１行）
　
３．対比
　本願発明と引用例に記載された発明とを対比すると、
（１）引用例に記載された発明の「ＣＣＤ１０３」及び「ドライバー２１０」は、本願発明の「画像読取駆動部」に相当し、また「サンプルホールド２０１」、「ＤＣクランプ回路２０２」及び「増幅器２０３」は、ＣＣＤ１０３及びドライバー２１０によって読取られたアナログの画像信号を処理するものである（上記２．（３）参照）から、本願発明の「アナログ処理部」に相当する、
（２）引用例に記載された発明のＡ／Ｄコンバータ２０４より後段のオフセット補正回路２０５、シェーディング補正回路２０６、γ補正回路２０７、バッファメモリ２０８は、サンプルホールド２０１、ＤＣクランプ回路２０２及び増幅器２０３（アナログ処理部）によってアナログ処理された信号をディジタル信号に変換して処理するものである（上記２．（３）及び２．（４）参照）から、本願発明の「デジタル処理部」に相当する、
（３）引用例に記載された発明の「駆動信号発生回路２１１」は、ＣＣＤ１０３及びドライバー２１０（画像読取部）、サンプルホールド２０１、ＤＣクランプ回路２０２及び増幅器２０３（アナログ処理部）ならびにＡ／Ｄコンバータ２０４より後段のオフセット補正回路２０５、シェーディング補正回路２０６、γ補正回路２０７及びバッファメモリ２０８（デジタル処理部）にクロック信号（第２図の信号２６２、２６３、２６５、２６６、２６７）を出力し、それらを駆動することが明らかである（上記２．（５）〜２．（７）及び第２図参照）、
（４）引用例に記載された発明の駆動信号発生回路２１１は、操作者により画像入力開始が指示された時、すなわち原稿読取り時のみクロック信号を出力する（上記２．（６）及び２．（７）の記載参照）、
から、両者は、
「画像を読取る画像読取駆動部と、その画像読取駆動部によって読取られた画像信号をアナログ処理するアナログ処理部と、そのアナログ処理部からの出力信号をデジタル処理するデジタル処理部と、前記画像読取駆動部、アナログ処理部ならびにデジタル処理部を駆動するためのクロック信号を出力するクロック信号発生部とを備えた画像読取装置において、
　前記クロック信号発生部から出力されるクロック信号の、所定のクロック信号は原稿読取り時のみ駆動させるように構成されていることを特徴とする画像読取装置。」
である点で一致し、次の点で相違する。
　本願発明は、クロック信号発生部から出力されるクロック信号が画素単位のクロック信号とライン単位のクロック信号であり、所定のクロック信号がそれらクロック信号のうちの画素単位のクロック信号であるのに対し、引用例に記載された発明は、クロック信号発生部から出力されるクロック信号が画素単位のクロック信号とライン単位のクロック信号である旨の明示がなく、所定のクロック信号がクロック信号発生部から出力される全てのクロック信号である点。
　
４．当審の判断
　上記相違点について検討する。
　ＣＣＤを用いて各画素の信号を読み取って出力し、処理するには画素単位のクロック信号及びライン単位のクロック信号が当然に必要となり（例えば、原査定の拒絶理由で引用された特開昭６４−６２０７４号公報の１頁右下欄１４行〜同１８行にも「読取センサ駆動部から読取センサに対してシフトパルス（ＳＨ）、クロックパルス（φ）、リセットパルス（ＲＳ）等の駆動信号のうち少なくとも１種以上の信号が送られ」という記載がある。）、引用例に記載された発明の駆動信号発生回路２１１からＤＣクランプ回路２０２に出力されている信号２６６（黒レベル信号が出ている期間を示す信号）はライン単位のクロック信号といえるものであるから、駆動信号発生回路２１１が画素単位のクロック信号とライン単位のクロック信号とを出力していることは当業者に容易に推察されることである。そして、引用例に記載された発明は、電力消費及び機械の発熱を低減することを目的とするものであり（上記２．（１）、２．（２）及び２．（３）参照）、電力消費及び発熱の程度は動作周波数が高いほど大きくなることは電気技術者に一般的に知られていることであり（例えば、原査定の拒絶理由で引用された特開昭６４−５０６７０号公報の４頁右下欄７行〜同１９行にも「画像処理回路としてディジタル回路、特に、ＣＭＯＳロジックが多用されており、上述のゲート・アレイ等のセミ・カスタムＩＣにしてもＣＭＯＳロジックがその主流となっている。このＣＭＯＳロジックは動作周波数に比例して消費電力が増加する事が一般的に知られており、この動作周波数をゼロとすれば消費電力を著しく低減することが可能である。即ち、画像処理回路でのクロック信号の出力を禁止すれば良いことになる。この方法は低消費電力であるばかりか、極めて簡易、かつ、ロー・コストであり、ロジック回路からの発熱の減少、ノイズ発生の低減も可能である。」という記載がある。）、また、動作周波数が高くなると電波障害が生じる可能性があることも電気技術者に一般的に知られていることであるから、特に電力消費、発熱及び電波障害への影響が大きい画素単位のクロック信号を原稿読取り時のみ駆動させるように構成するようにすることは、当業者が容易に想到し得ることである。
　さらに、本願発明によってもたらされる効果も引用例に記載された発明から当業者ならば容易に予測することができる程度のものであって、格別のものとはいえない。
　なお、請求人は、審判請求書において「本願発明は画像読取駆動部、アナログ処理部、デジタル処理部に供給されるクロック信号のうち、比較的周波数が高く無駄な電力消費、それに伴う回路の発熱、ノイズの発生に大きく影響する画素単位のクロック信号のみを、画像読取り時以外は停止するから、前述のように共通の発振回路がシステムクロックの供給源になっている装置においても、充分に無駄な電力消費、装置の昇温及びノイズの発生を抑制することができる。」と主張しているが、請求項１の「前記画像読取駆動部、アナログ処理部ならびにデジタル処理部を駆動するためのクロック信号を出力するクロック信号発生部」、「画素単位のクロック信号は原稿読取り時のみ駆動させる」という記載から明らかなように、本願発明は、画素単位のクロック信号の駆動についてのみ限定するものであって、「画素単位のクロック信号のみ」を画像読取り時以外は停止すること、「システムクロック」との関係について限定するものではないから、上記主張は本願発明の構成に基づいたものではない。また、本願発明が「画素単位のクロック信号のみ」を画像読取り時以外は停止させるものであるとしても、特に電力消費、発熱及び電波障害への影響が大きい画素単位のクロック信号を原稿読取り時のみ駆動させるようにするという域を出るものではなく、そのようなことは、上述のように、当業者が容易に想到し得ることであるから、特許を受けることができるものとすることはできない。
　
５．むすび
　以上のとおり、本願発明は、引用例に記載された発明に基いて当業者が容易に発明をすることができたものであり、特許法第２９条第２項の規定により特許を受けることができない。
　よって、結論のとおり審決する。